(57)【要約】【課題】回転中に、羽根車装置が緩まず、且つ、バランスがよくとれて、重心を失ってふらふらすることがない両面扇風機を提供しようとすることを目的とする。【解決手段】回転軸１１が左右両方へ突出しているモーター装置１０と、モーター装置１０を往復回動できるように下から支持している支持台座４０と、回転軸１１の両端近傍の左右対称的な位置に、互いの背面側を向かい合わせ、且つモーター装置１０による同一の回転方向で左右方向の外方へ送風できるように、それぞれの軸孔２１１で軸支されている一対の羽根車装置２０とからなっている両面扇風機において、回転軸１１と軸孔１１１との軸支構造は、いずれも回転軸１１と軸孔１１１とを互いに回動不可能とする係止構造を含んでいるうえ、各係止構造は、一方の係止構造が前記回転軸１１の軸芯に対して他方の係止構造の反対側に位置している。【選択図】図１
2006342795.tif 000002
【特許請求の範囲】
【請求項１】
回転軸が左右両方へ突出しているモーター装置と、
前記モーター装置を往復回動できるように下から支持している支持台座と、
前記回転軸の両端近傍の左右対称的な位置に、互いの背面側を向かい合わせ、且つ前記モーター装置による同一の回転方向で左右方向の外方へ送風できるように、それぞれの軸孔で軸支されている一対の羽根車装置とからなっている両面扇風機において、
前記回転軸と軸孔との軸支構造は、いずれも前記回転軸と軸孔とを互いに回動不可能とする係止構造を含んでいるうえ、各係止構造は、一方の係止構造が前記回転軸の軸芯に対して他方の係止構造の反対側に位置していることを特徴とする両面扇風機。
【請求項２】
前記軸支構造における軸孔形状と回転軸断面とはほぼ同等であるうえ、それぞれ非円形で互いに回動不可能に係止していることを特徴とする請求項１に記載の両面扇風機。
【請求項３】
前記軸孔は全体が非円形であり、前記回転軸は先端近傍だけが非円形断面であることを特徴とする請求項２に記載の両面扇風機。
【請求項４】
前記軸孔は、外周の一部に平坦部を有する円形であり、前記回転軸は、両端近傍の非円形断面の切欠きがその軸芯に対して反対側に位置していることを特徴とする請求項２または３に記載の両面扇風機。
【請求項５】
前記軸支構造における前記軸孔は、円筒体の中孔からなっており、
前記係止構造は、前記円筒体に筒外から筒内まで延伸してなった貫通孔と、
前記回転軸の軸芯に対して反対側に位置する外周面に前記貫通孔と対応するように形成してある切欠きと、
前記貫通孔を通して筒外から筒内における回転軸上の切欠きに挿入したビスとからなっていることを特徴とする請求項１に記載の両面扇風機。
【請求項６】
前記軸支構造における軸孔は、円筒体の中孔からなっており、
前記係止構造は、前記円筒体の前記回転軸を挿入される側の端縁に設けた少なくとも１つの切欠きと、
前記回転軸の軸芯に対して反対側に位置する外周面に前記切欠きと対応するように形成してあり、該切欠きに挿入される突起とからなっていることを特徴とする請求項１に記載の両面扇風機。
【請求項７】
前記回転軸の両端にそれぞれカバーが配設されており、これらのカバーはいずれも羽根車装置を外から押し付けて回転中の羽根車装置の軸方向の移動を止めることを特徴とする請求項１〜６のいずれか１項に記載の両面扇風機。
【発明の詳細な説明】
【技術分野】
【０００１】
本発明は、両面扇風機に関し、特に穏やかに一対の羽根車装置を支持しながら左右前後３６０°ほどの広範囲に送風することができる両面扇風機に関する。
【背景技術】
【０００２】
従来の両面扇風機は、通常、図１０のように、その回転軸１０１が左右両方へ突出しているモーター装置１と、モーター装置１を往復回動できるように下から平面的に支持している支持台座３と、それぞれの軸孔２０１でモーター１の左右両方へ突出している回転軸１０１の両端１０１ａ近傍の対称的な位置に、互いの背面側を向かい合わせ、且つモーター装置１による同一の回転方向で左右方向の外方へ送風することができるように軸支されている一対の羽根車装置２とからなっている。
【０００３】
このような両面扇風機は、左右前後３６０°ほどの広範囲に送風をすることができるが、その一対の羽根車装置２と回転軸１０１の両端１０１ａとの固定は、回転軸１０１のねじ付き両端１０１ａと、雌ねじ付き軸孔２０２ａを有する一対のカバー２０２とのねじ締めで、羽根車装置２を押し付けることで行われている。しかし、このような固定方式は、羽根車装置２が緩み易いのみならず、押し付けるためのカバー２０２も緩み易い。
【０００４】
そして、前記欠点を解消するために、前記固定方式の他に、羽根車装置２と回転軸１０１との間に更に係止機構を加え、例えば、羽根車装置２と回転軸１０１とにそれぞれ互いに対応する孔を設置し、これらをビスで係止させる方式もよく採用されている。このような係止方式は、確かに、羽根車装置２と回転軸１０１との間の固定を高めることができるが、一対の羽根車装置２の回転軸１０１に対する重心を失わせるうえ、それらの回転を狂わせて扇風機全体をふらふらさせる欠点が出てくる。
【発明の開示】
【発明が解決しようとする課題】
【０００５】
本発明は、前記問題に鑑みてなされたもので、回転中に、羽根車装置が緩まず、且つ、バランスがよくとれて、重心を失ってふらふらすることがない両面扇風機を提供しようとすることを目的とする。
【課題を解決するための手段】
【０００６】
前記目的を達成するために、発明者は、研究に研究を重ねた結果、係止機構の加えは確かに羽根車装置と回転軸との間の固定を高めることができるので、それを更に改善しよく利用することが有利であるのみならず、左右一対の係止機構の付加を従来のように回転軸の同一の側で行うのではなく、回転軸の軸芯に対してまったく反対の側にすれば、前記重心を失わせて羽根車装置の回転を狂わせる欠点もなくなることを発見した。
【０００７】
前記発見に基づいて、本発明は、まず、回転軸が左右両方へ突出しているモーター装置と、前記モーター装置を往復回動できるように下から支持している支持台座と、前記回転軸の両端近傍の左右対称的な位置に、互いの背面側を向かい合わせ、且つ前記モーター装置による同一の回転方向で左右方向の外方へ送風できるように、それぞれの軸孔で軸支されている一対の羽根車装置とからなっている両面扇風機において、前記回転軸と軸孔との軸支構造は、いずれも前記回転軸と軸孔とを互いに回動不可能とする係止構造を含んでいるうえ、各係止構造は、一方の係止構造が前記回転軸の軸芯に対して他方の係止構造の反対側に位置していることを特徴とする両面扇風機を提供する。
【０００８】
具体的には、前記軸支構造における軸孔形状と回転軸断面とはほぼ同等であるうえ、それぞれ非円形で互いに回動不可能に係止しており、前記軸孔は全体が非円形であり、前記回転軸は先端近傍だけが非円形断面であるようにし、さらに、前記軸孔は、外周の一部に平坦部を有する円形であり、前記回転軸は、両端近傍の非円形断面の切欠きがその軸芯に対して反対側に位置しているものが挙げられる。
【０００９】
また、本発明は、前記両面扇風機の構成を基礎として、前記軸支構造における前記軸孔は、円筒体の中孔からなっており、前記係止構造は、前記円筒体に筒外から筒内まで延伸してなった貫通孔と、前記回転軸の軸芯に対して反対側に位置する外周面に前記貫通孔と対応するように形成してある切欠きと、前記貫通孔を通して筒外から筒内における回転軸上の切欠きに挿入したビスとからなっているものを提供する。
【００１０】
さらに、本発明は、前記軸支構造における軸孔は、円筒体の中孔からなっており、前記係止構造は、前記円筒体の前記回転軸を挿入される側の端縁に設けた少なくとも１つの切欠きと、前記回転軸の軸芯に対して反対側に位置する外周面に前記切欠きと対応するように形成してあり、該切欠きに挿入される突起とからなっているものをも提供する。
【発明の効果】
【００１１】
前記構成による両面扇風機は、回転軸と軸孔との軸支構造がいずれも回転軸と軸孔とを互いに回動不可能とする係止構造を含んでいるうえ、左右一対の係止構造は回転軸の軸芯に対して反対側に位置しているので、扇風機全体はバランスがよくとれて、重心を失ってふらふらすることがない。
【００１２】
また、前記構成による両面扇風機は、羽根車装置と回転軸との間の固定が主として係止機構により行われているので、特に、係止機構は形状が同等である非円形嵌合になっている場合、回転中に、羽根車装置は全然緩まない。
【発明を実施するための最良の形態】
【００１３】
以下、図示を参照しながら本発明の好適な実施形態を詳細に説明する。
【００１４】
本発明の第１実施形態の両面扇風機は、図１に示すように、その回転軸１１が左右両方へ突出しているモーター装置１０と、モーター装置１０を往復回動できるように下から平面的に支持している支持台座４０と、前記モーター１０の左右両方へ突出している回転軸１１の両端１１１，１１１近傍の左右対称的な位置に、互いの背面側を向かい合わせ、且つモーター装置１０による同一の回転方向で左右方向の外方へ送風することができるように、それぞれの軸孔２１１で軸支されている一対の羽根車装置２０とからなっている。
【００１５】
また、該両面扇風機において、前記回転軸１１と軸孔２１１との軸支構造は、図２及び図３のように、いずれも回転軸１１と軸孔２１１とを互いに回転不可能とする係止構造を含んでいるうえ、前記左右一対の係止構造はいずれも他方の軸支構造の係止構造になっている箇所の反対側になっている。言い換えれば、各係止構造は、前記回転軸１１の各端部１１１，１１１において、一方の係止構造が回転軸１１の軸芯に対して他方の係止構造の反対側、即ち、回転軸１１の軸芯を中心として点対称な対向位置に設けられている。
【００１６】
詳細に言えば、モーター装置１０と羽根車装置２０の軸支構造は、円筒体２１の軸孔２１１形状と回転軸１１断面とはほぼ同等であるうえ、両方とも非円形となっていて互いに回転不可能に係止している。即ち、軸孔２１１は全体が均一な非円形であり、回転軸１１は先端１１１，１１１近傍だけが均一な非円形断面である。具体的には、軸孔２１１は、その外周部の一部に平坦部を有する軸方向からみてＤ字形状の円形であり、回転軸１１は、外周部の一部に切欠き１１３，１１３を設けた断面Ｄ字形状の円形からなっている。そして、回転軸１１の両端１１１，１１１近傍にそれぞれ形成する非円形断面の切欠き１１３，１１３は、他方の切欠き１１３の反対側に位置するように構成されている。即ち、切欠き１１３，１１３は、回転軸１１の延びる方向からみて反対側に位置するように設けられている。
【００１７】
本発明の第２実施形態の両面扇風機は、図４〜図６に示すように、その大体の構成が第１実施形態における両面扇風機と同様であるが、回転軸１１と軸孔２１１との軸支構造及び係止構造が異なっている。
【００１８】
詳細に言うと、まず両方の軸支構造における軸孔２１１は、円筒体２１の中孔からなっている。
【００１９】
そして、その左右両方の係止構造は、いずれも、円筒体２１に筒外から筒内まで延伸してなった貫通孔２１３と、回転軸１１の外周面の貫通孔２１３と対応する箇所に形成してある切欠き１１３，１１３と、貫通孔２１３を通して筒外から筒内における回転軸１１上の切欠き１１３，１１３に挿入したビス３１とからなっている。これらは、係止状態で回転軸１１に対して対称的に位置するように、回転軸１１の軸線を基準として互いに正反対側に設けられている。
【００２０】
本発明の第３実施形態の両面扇風機は、図７〜図９に示すように、その大体の構成が第１実施形態における両面扇風機と同様であるが、やはり回転軸１１と軸孔２１１との軸支構造及び係止構造が異なっている。
【００２１】
詳細に言うと、軸支構造における軸孔２１１は、円筒体２１の中孔からなっている。
【００２２】
また、係止構造は、円筒体２１の回転軸１１を挿入する側の端縁において軸線を中心として互いに対称に位置するように設けた一対の切欠き２１５，２１５と、回転軸１１の外周面の前記切欠き２１５，２１５と対応するように形成した突起１１７，１１７とからなっている。そして、前記切欠き２１５，２１５に、突起１１７，１１７が挿入されることにより、モーター装置１０の回転軸１１に対して羽根車装置２０を回動不可能に係止できる。
【００２３】
即ち、第３実施形態では、左右両方の係止構造のいずれも、互いに対称に位置する切欠き２１５と突起１１７との係止を一対含んでおり、且つその一対の係止のいずれも、回転軸１１の軸芯に対して正反対側にある。
【００２４】
なお、前記各実施形態では、回転軸１１の両端１１１、１１１にそれぞれカバー３０が配設されている。これらのカバー３０はいずれも該当の羽根車装置２０を外から押し付けていて回転中の羽根車装置２０の軸方向の移動を止めることができる。
【００２５】
前記構成による両面扇風機は、回転軸と軸孔との軸支構造がいずれも回転軸と軸孔とを互いに回動不可能とする係止構造を含んでいるうえ、左右一対の係止構造は、回転軸の軸芯に対して反対側になっているので、扇風機全体はバランスがよくとれて、重心を失ってふらふらすることがない。
【００２６】
また、前記構成による両面扇風機は、羽根車装置と回転軸との間の固定が主として係止機構により行われているので、特に、係止機構は断面が同等である非円形嵌合になっている場合、回転中に、羽根車装置は全然緩まない。
【図面の簡単な説明】
【００２７】
【図１】本発明の第１実施形態の両面扇風機の側面図。
【図２】本発明の第１実施形態の両面扇風機の分解断面図。
【図３】本発明の第１実施形態の両面扇風機における係止構造を示す断面図。
【図４】本発明の第２実施形態の両面扇風機の側面図。
【図５】本発明の第２実施形態の両面扇風機の分解断面図。
【図６】本発明の第２実施形態の両面扇風機における係止構造を示す断面図。
【図７】本発明の第３実施形態の両面扇風機の側面図。
【図８】本発明の第３実施形態の両面扇風機の分解断面図。
【図９】本発明の第３施例の両面扇風機における係止構造を示す断面図。
【図１０】従来の両面扇風機の断面図。
【符号の説明】
【００２８】
１０…モーター装置
１１…回転軸
１１１…端部（先端）
１１３，１１３…切欠き
１１７…突起
２０…羽根車装置
２１…円筒体
２１１…軸孔
２１３…貫通孔
２１５、２１５…切欠き
３０…カバー
３１…ビス
４０…支持台座
【図１】
2006342795.tif 000003
【図２】
2006342795.tif 000004
【図３】
2006342795.tif 000005
【図４】
2006342795.tif 000006
【図５】
2006342795.tif 000007
【図６】
2006342795.tif 000008
【図７】
2006342795.tif 000009
【図８】
2006342795.tif 000010
【図９】
2006342795.tif 000011
【図１０】
2006342795.tif 000012